(57)【要約】【課題】  通信装置から容易にデータを取得して表示することができる表示装置を提供すること。【解決手段】  画像を表示する投影面（２０２）と、投影面に接触したデジタルカメラ（７０１）を検出する検出手段（４０１、３０９ｂ）と、デジタルカメラと通信を行う通信手段（３０６、４０１）と、投影面に表示された画像に対する操作を行うための操作手段（３４１、３４２、３４３）と、検出されたデジタルカメラを表す画像を表示すると共に、操作手段によりデジタルカメラを表す画像への操作が行われたことに応じて、デジタルカメラに関連付けられたメニュー画像を表示するように、投影面を制御する制御手段（３０３）と、操作手段により前記メニュー画像が操作された場合に、該操作されたメニュー画像に関連付けられた処理を実行するために必要なデータを、通信手段を介してデジタルカメラから取得する取得手段（３０３）とを有する。【選択図】  図２
2011128563.tif 000002
【特許請求の範囲】
【請求項１】
画像を表示する表示手段と、
前記表示手段に接触した通信装置を検出する検出手段と、
前記通信装置と通信を行う通信手段と、
前記表示手段に表示された画像に対する操作を行うための操作手段と、
前記検出手段により検出された前記通信装置を表す画像を表示すると共に、前記操作手段により前記通信装置を表す画像への操作が行われたことに応じて、前記通信装置に関連付けられたメニュー画像を表示するように、前記表示手段を制御する制御手段と、
前記操作手段により前記メニュー画像が操作された場合に、該操作された前記メニュー画像に関連付けられた処理を実行するために必要なデータを、前記通信手段を介して前記通信装置から取得する取得手段と
を有することを特徴とする表示装置。
【請求項２】
前記検出手段により検出された前記通信装置の種類を示す情報を、前記通信装置から取得する手段と、
通信装置の種類を示す情報と、該通信装置を表す画像とを関連付けて保持する保持手段とを更に有し、
前記制御手段は、前記検出手段により検出された前記通信装置の種類に関連付けられた該通信装置を表す画像を前記保持手段から読み出して表示することを特徴とする請求項１に記載の表示装置。
【請求項３】
前記表示手段と接触した通信装置の、前記表示手段における位置を検出する位置検出手段を更に有し、
前記制御手段は、前記位置検出手段により検出された前記位置に、前記通信装置を表す画像を表示するように前記表示装置を制御することを特徴とする請求項１または２に記載の表示装置。
【請求項４】
前記検出手段は、前記表示手段と接触した通信装置の、前記表示手段における位置を検出し、前記表示装置は、
前記検出された位置を含む前記表示手段の画像を撮像する撮像手段と、
前記撮像手段により撮像された画像から、前記通信装置の画像を抽出し、該抽出した通信装置の画像に基づいて、前記通信装置を表す画像を生成する生成手段とを更に有し、
前記制御手段は、前記生成手段により生成された前記画像を、前記表示手段に表示するように制御することを特徴とする請求項１に記載の表示装置。
【請求項５】
前記制御手段は、前記検出手段により検出された前記位置に、前記生成手段により生成された前記画像を表示するように前記表示装置を制御することを特徴とする請求項４に記載の表示装置。
【請求項６】
前記制御手段は、前記通信装置と通信可能になった場合に、前記通信装置を表す画像を表示するよう前記表示手段を制御することを特徴とする請求項１乃至５のいずれか１項に記載の表示装置。
【請求項７】
前記検出手段は、前記表示手段に配置された複数の通信素子を含み、
前記検出手段は、前記複数の通信素子の内、前記通信装置と通信をしている通信素子の位置を前記通信装置の位置として検出することを特徴とする請求項１乃至６のいずれか１項に記載の表示装置。
【請求項８】
前記通信手段は、前記通信装置が前記表示手段に接触した状態で通信を行う第１の通信手段と、前記通信装置が前記表示手段に接触していない状態で通信を行う第２の通信手段とを有し、
前記検出手段によって検出された前記通信装置の前記表示手段に対する接触が検出されなくなると、前記通信手段は、前記第１の通信手段から前記第２の通信手段に切り替えて、前記通信装置と通信を行うことを特徴とする請求項１乃至５のいずれか１項に記載の表示装置。
【請求項９】
前記第２の通信手段に切り替えられた後、前記通信装置との通信ができない状態になった場合に、前記通信装置を表す画像の表示の態様を変えることを特徴とする請求項８に記載の表示装置。
【請求項１０】
前記第２の通信手段に切り替えられた後、前記通信装置との通信ができない状態となってから所定時間が経過した場合に、前記通信装置を表す画像を非表示にすることを特徴とする請求項８に記載の表示装置。
【請求項１１】
表示装置と、該表示装置を制御する制御装置を含む表示システムであって、
前記表示装置は
画像を表示する表示手段と、
前記表示手段に配置され、前記表示手段に接触した通信装置と通信すると共に、前記通信装置からのデータを送信する複数の通信素子と、
前記複数の通信素子から送信されたデータを前記制御装置に転送する転送手段とを有し、
前記制御装置は、
前記表示手段に表示された画像に対する操作を行うための操作手段と、
通信手段と、
前記通信手段を介して前記転送手段から転送されたデータを受信することで、前記表示手段に前記通信装置が接触していることを検出する検出手段と、
前記検出手段により検出された前記通信装置を表す画像を表示すると共に、前記操作手段により前記通信装置を表す画像への操作が行われたことに応じて、前記通信装置に関連付けられたメニュー画像を表示するように、前記表示手段を制御する制御手段と、
前記操作手段により前記メニュー画像が操作された場合に、該操作された前記メニュー画像に関連付けられた処理を実行するために必要なデータを、前記通信手段を介して前記通信装置から取得する取得手段と
を有することを特徴とする表示システム。
【請求項１２】
前記制御手段は、前記通信装置と通信可能になった場合に、前記通信装置を表す画像を表示するよう前記表示手段を制御することを特徴とする請求項１１に記載の表示システム。
【請求項１３】
前記検出手段は、更に、前記通信装置と通信をしている通信素子の位置を前記通信装置の位置として検出することを特徴とする請求項１１または１２に記載の表示システム。
【請求項１４】
検出手段により、画像を表示する表示手段に接触した通信装置を検出する検出工程と、
通信手段により、前記検出された通信装置と通信を行う通信工程と、
制御手段により、前記検出工程で検出された前記通信装置を表す画像を前記表示手段に表示する第１の表示工程と
前記表示手段に表示された画像に対する操作を行うための操作手段により、前記通信装置を表す画像への操作が行われたことに応じて、制御手段により、前記通信装置に関連付けられたメニュー画像を前記表示手段に表示する第２の表示工程と、
前記操作手段により前記メニュー画像が操作された場合に、該操作された前記メニュー画像に関連付けられた処理を実行するために必要なデータを、取得手段により前記通信手段を介して前記通信装置から取得する取得工程と
を有することを特徴とする表示制御方法。
【請求項１５】
前記第１の表示工程では、前記通信装置と通信可能になった場合に、前記通信装置を表す画像を前記表示手段に表示するように制御することを特徴とする請求項１４に記載の表示制御方法。
【請求項１６】
前記検出手段は、前記表示手段に配置された複数の通信素子を含み、
前記検出手段により、前記複数の通信素子の内、前記通信装置と通信をしている通信素子の位置を前記通信装置の位置として検出する工程を更に有することを特徴とする請求項１４または１５に記載の表示制御方法。
【発明の詳細な説明】
【技術分野】
【０００１】
本発明は表示装置に関し、特に、通信機器からその通信機器が有する情報を取得して表示する表示装置に関する。
【背景技術】
【０００２】
従来、情報処理装置により処理された表示データに基づいて、画像を表示する表示装置がある。これらの表示装置では、情報処理装置と映像伝送ケーブルによって接続され、映像伝送ケーブルを介して情報処理装置から伝送される画像を表示面に表示するのが一般的である。このような表示装置には、情報処理装置と一体的に構成されたものや、情報処理装置とは別に構成されたものがある。
【０００３】
これらの表示装置に、例えばデジタルカメラに挿入されている記録媒体に格納された画像データ等を表示する場合、表示装置または情報処理装置にデジタルカメラを有線または無線接続し、記録媒体に記録された画像データを読出して表示している。または、デジタルカメラの記録媒体を表示装置または情報処理装置に直接挿入したり、記録媒体のドライブ装置を介するなどして、記録媒体に記録された画像データを読出すことも行われている。更に、記録媒体に記録された画像データを別の記録媒体に転送し、その転送した記録媒体から画像データを読み出すことも行われている。
【先行技術文献】
【特許文献】
【０００４】
【特許文献１】特開２００８−１２３４７６号公報
【発明の概要】
【発明が解決しようとする課題】
【０００５】
しかし、上述したような先行技術によれば、無線接続する場合には、無線接続を行う為の操作を行う必要があり、その操作に時間が掛かることがあった。
【０００６】
また、表示装置または情報処理装置にデジタルカメラを有線接続して画像を表示するには、ケーブルを用意したり、表示装置または情報処理装置とデジタルカメラとにケーブルを接続したりしなくてはならず、表示する準備が煩わしかった。
【０００７】
本発明は上記問題点を鑑みてなされたものであり、通信装置から容易にデータを取得して表示することができる表示装置を提供することを目的とする。
【課題を解決するための手段】
【０００８】
上記目的を達成するために、本発明の表示装置は、画像を表示する表示手段と、前記表示手段に接触した通信装置を検出する検出手段と、前記通信装置と通信を行う通信手段と、前記表示手段に表示された画像に対する操作を行うための操作手段と、前記検出手段により検出された前記通信装置を表す画像を表示すると共に、前記操作手段により前記通信装置を表す画像への操作が行われたことに応じて、前記通信装置に関連付けられたメニュー画像を表示するように、前記表示手段を制御する制御手段と、前記操作手段により前記メニュー画像が操作された場合に、該操作された前記メニュー画像に関連付けられた処理を実行するために必要なデータを、前記通信手段を介して前記通信装置から取得する取得手段とを有する。
【発明の効果】
【０００９】
通信装置から容易にデータを取得して表示することができる表示装置を提供することができる。
【図面の簡単な説明】
【００１０】
【図１】第１の実施形態に係るプロジェクタを用いたシステムの構成例を示す図。
【図２】第１の実施形態に係るプロジェクタの構成図。
【図３】第１の実施形態に係る投影面の構成を示す図。
【図４】第１の実施形態に係る投影面の内部で伝送されるデータの構成を示した図。
【図５】第１の実施形態に係るプロジェクタとデジタルカメラ間の通信処理を示したシーケンス図。
【図６】第１の実施形態に係る投影面が保持する、通信素子の位置情報テーブルを示す図。
【図７】第１の実施形態に係る投影面に接地されたデジタルカメラのアイコンが表示された状態、及び、該アイコンを選択したときのメニュー画像を示す図。
【発明を実施するための形態】
【００１１】
以下、添付図面を参照して本発明を実施するための最良の形態を詳細に説明する。
【００１２】
＜第１の実施形態＞
＜＜システム構成＞＞
図１は、本第１の実施形態に係る表示装置の一例としてプロジェクタを用いた表示システムの主要な構成を示す図である。図１において、プロジェクタ２０１はパーソナルコンピュータ２０４からの映像を投影面２０２に投影する。
【００１３】
投影面２０２は、近接無線機能を有し、投影面に接触した機器と通信が可能である。また、投影面２０２とプロジェクタ２０１はイーサーネットケーブル２０３で通信可能に接続されている。なお、この通信媒体はイーサーネットケーブルに限るものではなく、通信できればその種別は問わない。
【００１４】
次にプロジェクタ２０１の構成について図２を用いて説明する。図２において、投影処理部３０１は、映像データを液晶パネル３１３によって投影する。映像処理部３０２は投影するための映像データを生成する。ＣＰＵ３０３は全体制御を行う。また、プロジェクタ２０１で行われる通信関連処理をしている。メモリ部３０４には、ＣＰＵ３０３で行われる処理に必要なデータやプログラム等を格納する。
【００１５】
操作部３０５には、プロジェクタ２０１の制御パネル３４１や、リモコン３４３からの赤外線信号を受光するための赤外線受信部３４２などの入力部材が接続され、接続された入力部材から操作信号を受信する。
【００１６】
通信部３０６は、イーサーネットケーブル２０３を介した通信制御（第１の通信）と、無線３４４による通信制御（第２の通信）とを行う。無線通信に関しては、基地局（アクセスポイント）として動作することが可能である。
【００１７】
映像入力部３０７は、パーソナルコンピュータ２０４からの映像を入力する。オンスクリーンディスプレイ（ＯＳＤ）制御部３０８は、グラフィカルユーザインタフェース（ＧＵＩ）表示を生成する他に、アイコン生成部３０８ａを具備し、それぞれの表示制御を行う。機器検出部３０９内の設置検出部３０９ａは、無線通信が確立している通信機器があるかの問合わせを、タイマ３０９ｃを用いて定期的に投影面２０２に送信する。そして、投影面２０２からの応答に基づいて設置検出部３０９ａが投影面上に通信機器が接触したことを検知すると、機器検出部３０９内の位置検出部３０９ｂによって、その通信機器の接触位置を検出する。なお、設置検出部３０９ａ及び位置検出部３０９ｂによる検出方法については、詳細に後述する。
【００１８】
ＡＶデコーダ部３１０は、圧縮された画像や音声を伸張する。撮像処理部３１１は、ＣＭＯＳセンサー等により構成される撮像部３１２を制御して撮像を行い、画像を取得する。なお、上述した各部は、内部バス３３０によって接続される。
【００１９】
次に投影面２０２の構成の一例について図３を参照して説明する。図３（ａ）は、投影面２０２を正面から見た場合の機能を示す図であり、投影面２０２には、複数の通信素子４０１が配置され、イーサーネットケーブル２０３に接続されたアクセスポイント４１０が構成されている。
【００２０】
図３（ｂ）は、投影面２０２の断面を概略的に示す図であり、メッシュ層５０２、誘電層５０３、シールド層５０４が表層５０１、５０５によって挟まれる構成となっている。シールド層５０４は、投影背面部に通信伝送波が漏れないようにシールドを施している。また、メッシュ層５０２に通信素子４０１が配置される。
【００２１】
投影面２０２に配置される各通信素子４０１は、接触した通信機器からの通信を受けると図４に示すような構成のデータを生成し、近傍の通信素子４０１に伝送する。送信元アドレス６０２には、伝送が開始された通信素子４０１の識別子が割り当てられており、送信先アドレス６０３は転送先の通信素子４０１の識別子が割り当てられる。また、コマンド６０１はそのデータを転送することを示す識別子が割り当てられる。転送データ６０４は実際に転送するデータであり、通信機器との通信開始時には、通信機器の種類を示す情報（例えば、ベンダＩＤ、プロダクトＩＤなどの通信機器の固有情報）含む。例えば、ＩＥＥＥ８０２．１１で規定される通信であれば、その通信フレームが図４のパケットの転送データ６０４として転送される。
【００２２】
通信素子４０１が発する信号は、誘電層５０３を通り、他の通信素子４０１に伝播される。具体的には、投影面２０２に通信機器が接触すると、その近傍の通信素子４０１がその通信を受けてデータを生成し、メッシュ層５０２に配置される他の通信素子４０１が誘電層５０３を介して生成されたデータをアクセスポイント４１０まで順次転送する。アクセスポイント４１０は、送信元アドレスと投影面２０２のシート上の位置とを関連づけて記憶している。そのため、転送されたデータの送信元アドレスに基づいて、どの位置に通信機器が置かれたかを認識することができる。これにより、プロジェクタ２０１は投影面２０２に接地した通信機器とのみ通信ができるようになる。また、送信元アドレス自体が、アクセスポイント４１０との相対位置を示す情報であっても良い。
【００２３】
また、アクセスポイント４１０は、送信データの中身がＩＥＥＥ８０２．１１で規定されているフレームであれば、すでに無線通信が確立しているかどうかの確認を行う。通信が確立していなければ、ＩＥＥＥ８０２．１１で規定されているマネージメントパケットによって通信を確立する。そして、その通信がどの通信素子４０１を基点に開始されているかの通信素子アドレス情報と、通信に必要な情報、例えばＭＡＣアドレスを対にして記録保持しておく。
【００２４】
アクセスポイント４１０は、通信素子４０１から転送されてきたデータが、イーサーネットケーブル２０３に接続された機器を送信先として示しているのであれば、そのデータをイーサーネットフレームに変換してイーサーネットケーブル２０３上に送出する。一方、イーサーネットケーブル２０３より受信したデータは、先に記録したＭＡＣアドレスと通信素子４０１のアドレス情報を元に、送信先通信素子を介して、該当機器に送信する。
【００２５】
また、アクセスポイント４１０は上記通信の情報を管理しており、外部からの問い合わせに対して、応答できるものとする。
【００２６】
以上の構成によって、投影面２０２に接触した通信機器との通信が可能となり、かつ、その位置を特定することができる。
【００２７】
なお、上述した投影面２０２の構成や、通信機器の接触及び位置の検出方法は上述したものに限るものではなく、例えば、種々の方式のタッチパネルを用いるなど、通信機器の接触及び位置を検出できるのであれば、どのような構成、検出方式であっても構わない。
【００２８】
＜＜動作シーケンス＞＞
次に、本第１の実施形態におけるプロジェクタ２０１と投影面２０２の動作について、図５のシーケンス図を用いて説明する。なお、プロジェクタ２０１の基本動作については公知であるため、ここでは説明を省略する。
【００２９】
図５のシーケンスは、図１に示す投影面２０２に、上述した通信機器として、ＩＥＥＥ８０２．１１で規定される無線機能を搭載したデジタルカメラ７０１を接触させたときの動作を示している。図５において、まずアクセスポイント４１０の動作を中心にして説明を進める。
【００３０】
アクセスポイント４１０は、まず、ＩＥＥＥ８０２．１１で規定されるマネージメントフレームの１つであるビーコン信号を定期的に送信する（Ｓ８０１）。このビーコン信号は、アクセスポイント４１０から、投影面２０２に配置された通信素子４０１を介して送出される。
【００３１】
ここで、デジタルカメラ７０１が投影面２０２に接触すると、デジタルカメラ７０１は投影面２０２に配置された通信素子４０１からビーコン信号を受信する（Ｓ８０２）。ビーコン信号を受信したデジタルカメラ７０１は、無線接続を要求するアソシエーション要求を、アクセスポイント４１０に対して通信素子４０１を介して送信する（Ｓ８０３）。
【００３２】
アソシエーション要求を受信したアクセスポイント４１０は、図４に示すような構成の転送データ６０４から、送信元（ここではデジタルカメラ７０１）のＭＡＣアドレスと、送信元アドレス６０２に割り当てられた通信素子４０１の識別子とを抽出する。そして、これらを組み合わせて記録する（８２０）。その後、通信の接続を許可するアソシエーション応答を送信する（Ｓ８０４）。この応答によって、アクセスポイント４１０とデジタルカメラ７０１間の無線通信が確立する（８３０）。
【００３３】
次に、確立した無線通信に対して、デジタルカメラ７０１はＩＰアドレスを取得するために、ＤＨＣＰサーバに対してＩＰアドレスの割付を要求する（Ｓ８０５）。ここで、本第１の実施形態においては、アクセスポイント４１０がＤＨＣＰサーバとして動作しているものとするが、プロジェクタ２０１がＤＨＣＰサーバとして動作しても良い。
【００３４】
アクセスポイント４１０は、このＤＨＣＰサーバへのＩＰアドレス要求に対して、ＩＰアドレスを応答する（Ｓ８０６）。同時に割り振ったＩＰアドレスを、先に記録したＭＡＣアドレス及び通信素子４０１の識別子と組み合わせて記録する（８４０）。
【００３５】
デジタルカメラ７０１はこのＩＰアドレスの応答を受信することでＩＰを取得して、ＩＰによる通信を確立する（８５０）。
【００３６】
次に、プロジェクタ２０１の動作について説明する。プロジェクタ２０１は、アクセスポイント４１０に対して、定期的に無線通信が確立している通信機器があるかどうかの問合せを、通信部３０６によってイーサーネットケーブル２０３を介して送信する（Ｓ８０７）。この時の問合せパケットは、機器検出部３０９の設置検出部３０９ａによって生成され、タイマ３０９ｃによって定期的に送信される。
【００３７】
アクセスポイント４１０は問い合わせに対して応答をする（Ｓ８０８）。図５に示すタイミングでは、アクセスポイント４１０はデジタルカメラ７０１をまだ検出していないので、応答に含まれる内容は、無線通信が確立している通信機器は無いという情報である。
【００３８】
一定時間経過後、機器検出部３０９の設置検出部３０９ａは、再び問合せを送信する（Ｓ８０９）。このタイミングでは、アクセスポイント４１０はデジタルカメラ７０１を検出しているので、アクセスポイント４１０は、プロジェクタ２０１に対して無線通信が確立している通信機器があることを通知する（Ｓ８１０）。この通知の中には、通信機器（デジタルカメラ７０１）のＭＡＣアドレスと、通信機器が投影面２０２のどの通信素子４０１を基点として通信が行われているかを示す、通信素子４０１の識別子も含まれる。
【００３９】
この応答を受け取ると、機器検出部３０９は、ＣＰＵ３０３に対して割り込み通知を行う。ＣＰＵ３０３はこのＭＡＣアドレスと通信素子４０１の識別子情報をメモリ部３０４に記録保持する。
【００４０】
次に、割り込み通知を受け取ったＣＰＵ３０３は通信部３０６を介してアクセスポイント４１０に対してＩＰアドレスを問合せる（Ｓ８１１）。この問合わせに応じて、アクセスポイント４１０はデジタルカメラ７０１に割り振ったＩＰアドレスを返し、ＣＰＵ３０３が通信部３０６を介して受信すると（Ｓ８１２）、ＣＰＵ３０３は、先に受け取った情報と合わせてＩＰアドレスをメモリ部３０４に記録する。
【００４１】
ＣＰＵ３０３は、通信部３０６を介して取得したデジタルカメラ７０１のＩＰアドレスに対して、プロトコルの確認を行う。プロトコルの確認は、例えば、ＦＴＰ、ＨＴＴＰ、ＳＭＢなどのプロトコルを順次問合せることで行っても良いし、または、ＵＰｎＰのようなプロトコルを用いても良い（Ｓ８１３、Ｓ８１４）。その後、プロトコルの判別が完了し、通信が可能であることが判明すると、ＯＳＤ制御部３０８のアイコン生成部３０８ｂによってアイコンを生成し表示する。
【００４２】
ここで、アイコンを生成して表示するために、ＣＰＵ３０３は以下の処理を行う。まず検出した機器の位置を特定するために、機器検出部３０９の設置検出部３０９ａから検出割り込みを受信すると、位置検出部３０９ｂを起動する。位置検出部３０９ｂは、メモリ部３０４に記録されている、投影面２０２のどの通信素子４０１を基点として通信が行われているかを示す、通信素子４０１の識別子情報を取り出し、通信機器が投影面２０２上のどの位置に設置されたかを判別する。
【００４３】
投影面２０２と各通信素子４０１の位置情報は投影面２０２の構成から一意に特定されるので、投影面２０２が保持している図６のような通信素子座標テーブル情報をプロジェクタ２０１が取得することで、投影面２０２上の位置を容易に特定することができる。
【００４４】
ＣＰＵ３０３は位置検出部３０９ｂによって位置が特定されると、撮像処理部３１１にて投影面２０２の撮影を行う。その後、ＯＳＤ制御部３０８のアイコン生成部３０８ａによって、撮影した画像から、通信機器が検出された位置に基づいて画像を切り出す。そして、図７（ａ）に示すように、通信機器が検出された位置に基づいて、その近傍に、切り出した画像をアイコン１００１として表示する（第１の表示）。ここではアイコンを表示するようにしたが、機器が置かれたことを示す情報を表示できればよい。
【００４５】
次に、ユーザーが、制御パネル３４１やリモコン３４３を操作することで、投影面上のアイコン１００１を選択すると、例えば、図７（ｂ）に示されるような、デジタルカメラ７０１に対して実行可能なメニュー画像１１０１が表示される（第２の表示）。上述したように、図４に示す転送データ６０４には通信機器の種類を示す情報が含まれている。そのため、ＣＰＵ３０３は、無線通信が確立している通信機器（この場合はデジタルカメラ７０１）に関連付けられたメニューを選択して、そのメニュー画像をアイコン１００１の近傍に表示する。そして、メニュー画像からメニューが選択されると、選択されたメニューに関連付けられた処理を実行するために必要なデータを、Ｓ８１４で取得したプロトコルによりデジタルカメラ７０１に要求する（Ｓ８１５）。デジタルカメラ７０１は、データの要求を受けて、該当するデータをプロジェクタ２０１に送信する（Ｓ８１６）。Ｓ８１５及びＳ８１６で行われる通信は、必要に応じて繰り返し行われる。
【００４６】
図７（ｂ）に示す例では、例えば、メニュー画像１１０１から一覧表示１１０２を選ぶと、プロジェクタ２０１は通信部３０６を介して、一覧表示を行うために、デジタルカメラ７０１が持つ静止画を取得する。そして、ＡＶデコーダ部３１０によって圧縮された静止画を伸張し、表示する。また、スライドショー１１０３を選ぶと、スライドショーを行うために、順次画像を読み出して全画面表示を表示していくようなスライドショーを実行する。なお、メニューの選択により必要なデータを取得して表示する技術は公知であるので、ここでは詳細説明を省略する。また、図７（ｂ）に示すメニューは一例であって、本発明は一覧表示やスライドショーなどのメニューに限られるものではなく、表示のために通信機器からデータを読み出させるようなメニューであればよい。
【００４７】
上記の通り本第１の実施形態によれば、通信機器を表示装置に接触させ、表示装置に表示された通信機器のアイコンを操作するだけで、容易に、通信機器が供給可能なデータを通信機器から取得して表示装置に表示することができる。
【００４８】
なお、デジタルカメラ７０１を投影面２０２にいつまでも接触させておくのは現実的ではなく、例えば、アイコン１００１が表示されたタイミングなどで、デジタルカメラ７０１を投影面２０２から離すことが望ましい。
【００４９】
デジタルカメラ７０１を検出した時点では、投影面２０２の通信素子４０１を介して通信をしているが、この通信素子４０１を介した通信は近接に限られる。そこで、機器検出部３０９の設置検出部３０９ａが投影面２０２からデジタルカメラ７０１が離されたことを検出すると（Ｓ８６０）、通信部３０６に対して８０２．１１無線（図２の３４４）での通信を開始するように指示する（Ｓ８８０）。この時、すでに、プロジェクタ２０１はデジタルカメラ７０１のＭＡＣアドレスをメモリ部３０４に保持しているので、８０２．１１無線によって、アクセスポイント４１０を介さずに、デジタルカメラ７０１と直接通信することができる。つまり、投影面２０２からデジタルカメラ７０１が離されたとしても、アイコン１００１を選択すれば、デジタルカメラ７０１との通信を継続することができる。
【００５０】
また、８０２．１１無線であっても距離が離れれば、通信はできなくなる。デジタルカメラ７０１との通信ができない状態になった場合には、ＯＳＤ制御部３０８のアイコン生成部３０８ａによって、アイコン１００１の態様を変化させるとよい。例えば、５０％透過にするなどして、通信状態が変わったことをユーザーが認識できるようにする。また、所定時間以上、通信が途絶えたことをＣＰＵ３０３が検出した場合には、アイコン１００１を非表示にする。
【００５１】
また、デジタルカメラ７０１との通信が途絶えた状態で、ユーザーがメニュー画像１１０１からスライドショー１１０３を選択した場合には、通信が再開した後に自動でスライドショーを実行するようにしてもよい。あるいは、デジタルカメラ７０１にデータを書き込むことを意図して、データを書き込む操作が操作部３０５を介して指示された場合には、通信が再開した後に、自動で、その指示をデジタルカメラ７０１に送信するようにしても良い。
【００５２】
上記の通り本第１の実施形態によれば、投影面に通信機器を接地させるだけで、容易に、通信機器からデータの取得を行うことができる。
【００５３】
＜第２の実施形態＞
次に、本発明の第２の実施形態について説明する。
【００５４】
上述した第１の実施形態では、通信機器の画像を撮影し、通信機器の画像を切り出してアイコンとして表示していたが、別の方法によりアイコンを生成しても良い。
【００５５】
例えば、イーサーネットケーブル２０３によって、サーバを接続し、サーバに機器情報とその機器を視覚的に認知できるアイコンのアイコンデータを互いに関連付けて予め保持させておく。そして、設置検出部３０９ａによって通信機器が投影面２０２に接触したことを検出すると、アイコン生成部３０８ａは、検出した通信機器の固有情報をキーとして、通信部３０６を介してサーバにアイコンデータの取得を依頼する。なお、固有情報としては、例えばベンダＩＤ、プロダクトＩＤなどがある。そして、アイコン生成部３０８ａは、サーバから返送されたアイコンデータに基づいてアイコンを生成し、ＣＰＵ３０３は生成したアイコンを投影面に表示する。
【００５６】
また、アイコンではなく、機器が置かれた位置を示す印を表示しても良く、その印の形状は、どのようなものであってもよく、例えば、枠を表示したり、文字と組み合わせた表示や、特殊記号を表示する等、様々な形状の画像が考えられる。また、マウス画像などの操作用の表示が、機器の置かれた位置や機器を示す表示に重なったときに、その置かれた機器のデータを処理するためのアイコンを表示しても良い。
【００５７】
なお、上述した第１及び第２の実施形態では、プロジェクタを表示装置とした例について説明したが、本発明の表示装置は、プロジェクタに限られるものではない。例えば、ＬＣＤやＣＲＴなどのディスプレイ、電子ペーパー、テレビ、ノートＰＣ、ＰＣ機能付きテレビなど、画像を表示することができる装置であればよい。その場合、図３に示すような機能を有する透過型のシートを表示画面上に配置したり、表示画面の裏側に配置したりする。そのようにすることで、上述した第１及び第２の実施形態と同様に、通信装置を画面に接触するだけで、その通信装置を示す情報を表示し、その通信装置との通信を行うことができる。
【００５８】
そして、ディスプレイ、電子ペーパー、テレビであれば、表示部と図３に示すようなシートとを一体化とすることも、ＰＣとシートを接続することもできる。従って、表示装置と、画像形成装置と、からなるシステムとしても、第１及び第２の実施形態で説明したような動作をすることができる。
【００５９】
また、ノートＰＣやＰＣ機能付きテレビであれば、図３に示すようなシートと、表示部と、ＰＣ本体とが一体的に構成されるため、表示装置として単独で、第１及び第２の実施形態で説明したような動作をすることができる。
【００６０】
また、上述した第１及び第２の実施形態では、通信装置として、デジタルカメラを使用した例について説明したが、通信装置は、デジタルカメラに限られるものではない。例えば、携帯電話、ＰＣなどでもよいし、無線通信機能付きのＵＳＢメモリ、ＳＤカード等であってもよい。即ち、無線通信機能を有し、保持したデータを無線通信を介して提供できる通信機器であれば、本発明を適用することが可能である。
【００６１】
また、上述した第１及び第２の実施形態では、検出した通信装置の表示装置上の位置にアイコンを表示する場合について説明したが、アイコンを表示する位置は検出した位置に限るものではなく、表示装置上のどの位置であっても構わない。
【図１】
2011128563.tif 000003
【図２】
2011128563.tif 000004
【図３】
2011128563.tif 000005
【図４】
2011128563.tif 000006
【図５】
2011128563.tif 000007
【図６】
2011128563.tif 000008
【図７】
2011128563.tif 000009